(57)【要約】【課題】  取り外し及び取り付けを容易に行うことが可能な配管接続装置を提供することを目的とする。【解決手段】  衛生設備機器の排水路の出口部と建物躯体に設けられる排水配管の入口部とを連結する配管接続装置であって、フランジと、フランジから一方へ延設され、衛生設備機器の排水路の出口部が一端から挿入される一次側筒部と、一次側筒部と衛生設備機器の排水路との間の水密を保持する一次側弾性シールと、フランジから他方へ延設され、一端が一次側筒部の他端と連絡し、他端が排水配管の入口部に挿入される二次側筒部と、二次側筒部と排水配管との間の水密を保持する二次側弾性シールと、を備え、一次側弾性シールは、一次側筒部に外嵌される外周部と、外周部に連続して一次側筒部内に向けて延設される内周リップと、を有し、二次側弾性シールは、二次側筒部に外嵌される本体部と、本体部の外周から延びるリング状の外周リップと、を有する。【選択図】  図２
2014129657.tif 000002
【特許請求の範囲】
【請求項１】
衛生設備機器の排水路の出口部と建物躯体に設けられている排水配管の入口部とを連結する配管接続装置であって、
前記建物躯体の設置面に固定されるフランジと、
このフランジから一方へと延設され、前記衛生設備機器の前記排水路の前記出口部が一端から挿入される一次側筒部と、
この一次側筒部と前記衛生設備機器の前記排水路の前記出口部との間の水密を保持する一次側弾性シールと、
前記フランジから他方へと延設され、一端が前記一次側筒部の他端と連絡するとともに、他端が前記排水配管の前記入口部に挿入される二次側筒部と、
この二次側筒部と前記排水配管の前記入口部との間の水密を保持する二次側弾性シールと、を備え、
前記一次側弾性シールは、前記一次側筒部の一端側に外嵌される外周部と、この外周部に連続して前記一次側筒部の内側に向けて延設される内周リップと、を有し、
前記二次側弾性シールは、前記二次側筒部の他端側に外嵌される本体部と、この本体部の外周から延びるリング状の外周リップと、を有する配管接続装置。
【請求項２】
前記設置面から突出した前記排水配管の前記入口部への前記二次側筒部の挿入をガイドするガイド部を備え、
このガイド部は、前記二次側筒部が前記排水配管の前記入口部へ挿入される方向へ向けて前記フランジから立設され、前記排水配管の前記入口部を外嵌する請求項１に記載の配管接続装置。
【請求項３】
前記ガイド部は、前記二次側筒部が前記排水配管の前記入口部へ挿入された状態で、前記ガイド部の先端と前記設置面との間に間隙を形成する請求項２に記載の配管接続装置。
【請求項４】
前記一次側弾性シールの前記外周部が外嵌された状態で、前記一次側筒部は、その軸心方向と直交する方向へと移動可能に設けられるとともに、前記一次側筒部の移動を制限する制限部を有する請求項１〜３のいずれか１項に記載の配管接続装置。
【請求項５】
前記二次側筒部の一端は、前記二次側筒部が前記排水配管の前記入口部へ挿入される方向へ向けて流路が縮径するテーパ形状である請求項１〜４のいずれか１項に記載の配管接続装置。
【請求項６】
前記請求項１〜５のいずれか１項に記載の配管接続装置を備える水洗便器。
【発明の詳細な説明】
【技術分野】
【０００１】
本発明は、配管接続装置に関するものであり、特に衛生設備機器の排水路の出口部と建物躯体に設けられている排水配管の入口部とを連結する配管接続装置に関する。
【背景技術】
【０００２】
従来、水洗便器等の衛生設備機器の排水路の出口部と建物躯体に設けられている排水配管の入口部とを連結する配管接続装置として、衛生設備機器の排水路の出口部が一端側に挿入接続され、他端側が排水配管の入口部に挿入されるとともに接着剤によって接着固定されるものが知られている（例えば、特許文献１参照。）。
【先行技術文献】
【特許文献】
【０００３】
【特許文献１】特開２００７−１６２３０５号公報
【発明の概要】
【発明が解決しようとする課題】
【０００４】
上述した配管接続装置においては、部品の交換や排水配管内の尿石除去作業等のメンテナンスを行うために、配管接続装置を取り外す必要がある場合、他端側が接着剤により排水配管の入口部に接着固定されているため、取り外しに手間がかかるという問題があった。さらに、他端側を接着剤により接着固定するため、排水配管の径ごとに異なった配管接続装置が必要であったため、取り付け時には現場毎にそれぞれ配管接続装置を選定する必要が生じ、手間がかかるという問題があった。
【０００５】
本発明は、上述した問題を解決するためになされたものであり、取り外し及び取り付けを容易に行うことが可能な配管接続装置を提供することを目的とする。
【課題を解決するための手段】
【０００６】
本発明は、衛生設備機器の排水路の出口部と建物躯体に設けられている排水配管の入口部とを連結する配管接続装置であって、前記建物躯体の設置面に固定されるフランジと、このフランジから一方へと延設され、前記衛生設備機器の前記排水路の前記出口部が一端から挿入される一次側筒部と、この一次側筒部と前記衛生設備機器の前記排水路の前記出口部との間の水密を保持する一次側弾性シールと、前記フランジから他方へと延設され、一端が前記一次側筒部の他端と連絡するとともに、他端が前記排水配管の前記入口部に挿入される二次側筒部と、この二次側筒部と前記排水配管の前記入口部との間の水密を保持する二次側弾性シールと、を備え、前記一次側弾性シールは、前記一次側筒部の一端側に外嵌される外周部と、この外周部に連続して前記一次側筒部の内側に向けて延設される内周リップと、を有し、前記二次側弾性シールは、前記二次側筒部の他端側に外嵌される本体部と、この本体部の外周から延びるリング状の外周リップと、を有する配管接続装置である。
【０００７】
このように構成された本発明においては、一次側筒部に対して衛生設備機器の排水路の出口部を挿入することができ、さらに、排水配管の入口部に対しても二次側筒部を挿入することで、衛生設備機器の排水路の出口部と排水配管の入口部とを連結することができる。従って、接着剤による固定の必要がなく、排水配管のメンテナンスを行う等の配管接続装置の取り外しが必要な際に、容易に配管接続装置を取り外すことができる。
また、一次側弾性シールが内周リップを有するため、ある径の衛生設備機器の排水路の出口部に限らず、様々な径の出口部に対して配管接続装置を用いることができる。同様に、二次側弾性シールが外周リップを有するため、ある径の排水配管の入口部に限らず、様々な径の入口部に対して配管接続装置を用いることができる。従って、配管接続装置を取り付ける際に衛生設備機器の排水路や排水配管の径を確認せずともよいため、手間がかからない。
【０００８】
本発明は、さらに、前記設置面から突出した前記排水配管の前記入口部への前記二次側筒部の挿入をガイドするガイド部を備え、このガイド部は、前記二次側筒部が前記排水配管の前記入口部へ挿入される方向へ向けて前記フランジから立設され、前記排水配管の前記入口部を外嵌する構成としてもよい。
【０００９】
このように構成された本発明においては、ガイド部により排水配管の入口部への二次側筒部の挿入がガイドされるため、挿入作業を容易に行うことができ、配管接続装置の取り付けに手間がかからない。また、ガイド部は排水配管の入口部を外嵌するため、二次側筒部の軸心と排水配管の入口部の軸心との軸ずれが抑制される。
【００１０】
本発明は、さらに、前記ガイド部は、前記二次側筒部が前記排水配管の前記入口部へ挿入された状態で、前記ガイド部の先端と前記設置面との間に間隙を形成する構成としてもよい。
【００１１】
このように構成された本発明においては、ガイド部と設置面との接触が抑えられ、取り付ける際のガタつきが防止される。また、設置面及び設置面から突出した排水配管の入口部の平滑さに対する要求精度が緩和されるため、施工性が向上する。
【００１２】
本発明は、さらに、前記一次側弾性シールの前記外周部が外嵌された状態で、前記一次側筒部は、軸心方向と直交する方向へと移動可能に設けられるとともに、前記一次側筒部の移動を制限する制限部を有する構成としてもよい。
【００１３】
このように構成された本発明においては、一次側筒部がその軸心方向と直交する方向へと移動可能であり、かつ、その移動を制限する制限部を有するため、衛生設備機器の排水路の出口部を一次側筒部に挿入した際に、一次側筒部を移動させることができる。そのため、挿入時の位置ずれに対する要求精度が緩和されるため、施工性が向上する。
【００１４】
本発明は、さらに、前記二次側筒部の一端は、前記二次側筒部が前記排水配管の前記入口部へ挿入される方向へ向けて流路が縮径するテーパ形状としてもよい。
【００１５】
このように構成された本発明においては、衛生設備機器の排水路の出口部の軸心が排水ソケットの軸心とずれて挿入されても、テーパ形状により排水路からの排水が導かれてスムーズに排水することができる。
【００１６】
本発明は、また、前記配管接続装置を備える水洗便器である。
【００１７】
このように構成された本発明においては、排水配管のメンテナンスを行う等の配管接続装置を外す必要がある際に、水洗便器の排水路の出口を容易に配管接続装置から取り外し可能であるとともに、配管接続装置も容易に排水管路から取り外すことができる。
【発明の効果】
【００１８】
本発明の配管接続装置によれば、配管接続装置の取り外し及び取り付けを容易に行うことが可能となる。
【図面の簡単な説明】
【００１９】
【図１】本発明の一実施形態に係る小便器を示す断面図。
【図２】本発明の一実施形態に係る配管接続装置を示す断面図。
【図３】本発明の一実施形態に係る配管接続装置を示す分解図。
【図４】本発明の一実施形態に係る配管接続装置の取り付け工程を示す断面図。
【発明を実施するための形態】
【００２０】
以下、図面を参照して本発明の一実施形態に係る小便器及び配管接続装置について説明する。図１は、本発明の一実施形態に係る小便器を示す断面図。図２は本発明の一実施形態に係る配管接続装置を示す断面図であり、図３は本発明の一実施形態に係る配管接続装置を示す分解図である。
【００２１】
図１に示すように、本発明の一実施形態に係る小便器１は、床面２に載置される小便器本体４と、この小便器本体４の排水路の出口部６と建物躯体に設けられている排水配管の入口部８とを連結する配管接続装置１００とを備える。
【００２２】
図２及び図３に示すように、本発明の一実施形態に係る配管接続装置１００は、排水ソケット１２０と、この排水ソケット１２０に設けられる一次側弾性シール１４０及び二次側弾性シール１６０と、一次側弾性シール１４０を排水ソケット１２０に固定するホースバンド１８０とを備える。
【００２３】
排水ソケット１２０は、外向き（図２における左右方向）に延設されたフランジ１２２と、このフランジ１２２から一方（図２における上方）に向けて延設された一次側筒部１２４と、フランジ１２２から他方（図２における下方）に向けて延設された二次側筒部１２６とを有する。また、排水ソケット１２０は、二次側筒部１２６の外周側においてフランジ１２２から他方に向けて延設されたガイド部１２８を有する。なお、本実施形態において、一次側筒部１２４と、フランジ１２２及び二次側筒部１２６とは別体にて形成されているが、本発明はこのような構成に限定されるものはない。例えば、一次側筒部１２４と、フランジ１２２及び二次側筒部１２６とが一体に形成される構成としてもよい。
【００２４】
フランジ１２２は、フランジ本体１２２ａと、一次側弾性シール１４０が係合する立壁部１２２ｂと、後述する建物躯体の設置面にフランジ１２２を固定するために設置面に当接する複数の固定面１２２ｃとを有する。
【００２５】
立壁部１２２ｂは、フランジ１２２の一方の面（図２における上面）から立設される円筒状の凸部である。また、固定面１２２ｃは、フランジ本体１２２ａの延設方向における両端（図２における左右端）にて、立壁部１２２ｂとは逆方向に向けて階段状にそれぞれ形成されるとともに、ネジ穴が開設されている。
【００２６】
一次側筒部１２４は、両端（図２における上下方向）が開口した円筒状に形成され、フランジ１２２の立壁部１２２ｂの内側に設けられる。また、一次側筒部１２４は、詳細は後述するが一端側（図２における上端側）から小便器本体４の排水路の出口部６が挿入され、他端側はフランジ１２２と係合する。一次側筒部１２４の他端側の一部の外周壁は、他端に向けて壁面の厚さが大きくなるように傾斜している。さらに、一次側筒部１２４は、その軸心方向とは直交する方向、即ち立壁部１２２ｂに向けて移動可能である。
【００２７】
二次側筒部１２６は、フランジ１２２の立壁部１２２ｂ及びフランジ１２２に設けられた状態の一次側筒部１２４の内側において、フランジ１２２から立壁部１２２ｂとは逆方向へと延設され、両端（図２における上下方向）が開口した円筒状に形成される。なお、二次側筒部１２６は立壁部１２２ｂ及びフランジ１２２に設けられた状態の一次側筒部１２４と同心状に設けられる。また、二次側筒部１２６は、一端（図２における上端）が一次側筒部１２４の他端（図２における下端）と連絡し、詳細は後述するが、他端（図２における下端）が建物躯体に設けられた排水配管の入口部へと挿入される。二次側筒部１２６のフランジ１２２側の端部は、二次側筒部１２６の内側の流路を一方から他方（図２における上方から下方）に向けて縮径するテーパ形状であるテーパ部１２６ａを形成している。
【００２８】
ガイド部１２８は、フランジ１２２の立壁部１２２ｂの内側、かつ、二次側筒部１２６の外側において、フランジ１２２の立壁部１２２ｂが立設される面とは逆の面から立設される円筒状の凸部である。なお、ガイド部１２８は、立壁部１２２ｂ及び二次側筒部１２６と同心状に設けられる。ガイド部１２８は、詳細は後述するが設置面から突出した排水配管の入口部を外嵌することが可能な径にて形成される。また、ガイド部１２８は、ガイド部１２８の先端（図２における下端）が、フランジ１２２の固定面１２２ｃよりも、フランジ本体１２２ａ側に位置するように形成される。このような構成により、配管接続装置１００が設置面に設置された際、ガイド部１２８の先端と設置面との間に間隙５００を形成することができる。なお、本実施形態において、ガイド部１２８は円筒状に形成されているが、本発明はこのような構成に限定されるものではない。例えば、円筒状に形成されたガイド部１２８の先端から基端に亘る切り欠きを複数設けた形状に形成される構成としてもよい。
【００２９】
一次側弾性シール１４０は、一次側筒部１２４に外嵌される外周部１４２と、この外周部１４２に連続して内側へと延設される内周リップ１４４と、外周部１４２に連続して外側へと延設される延設部１４６と、この延設部１４６と連続して延設される最外周部１４８を有する。
【００３０】
外周部１４２は、円筒状に形成され、一次側筒部１２４の一端側（図２における上端側）に外嵌される。内周リップ１４４は、外周部１４２の一端（図２における上端）から内側へ連続して延設され、外周部１４２が一次側筒部１２４に外嵌された際に、一次側筒部１２４の一端側（図２における上端）の開口端を経て、一次側筒部１２４の内側へ入り込むように形成される。また、内周リップ１４４は、一次側筒部１２４の内側の流路を一方から他方（図２における上方から下方）に向けて縮径するテーパ形状である。延設部１４６は、外周部１４２の一端から連続して外側へと波状に延設される。最外周部１４８は、延設部１４６の最外端から延設され、外周部１４２が一次側筒部１２４に外嵌された際に、フランジ１２２の立壁部１２２ｂを外嵌するように外周部１４２と同心の円筒形状に形成される。このような構成により、一次側筒部１２４がその軸心方向とは直交する方向へと移動する際に、波状の延設部１４６が、内側へ向けて延びる、あるいは、外側へ向けて縮むことで、一次側筒部１２４の移動をガイドするとともに制限する。即ち、最外周部１４８及びフランジ１２２の立壁部１２２ｂは、一次側筒部１２４の移動を制限する制限部として機能する。
【００３１】
なお、本実施形態において、内周リップ１４４はテーパ形状に形成されるが、本発明はこのような構成に限定されるものではない。例えば、一次側筒部１２４の内側に向けて延びるが、一次側筒部１２４の内側に入り込まずに、その延設方向が、一次側筒部１２４の一端側（図２における上端側）の開口端面と平行になるように形成される構成としてもよい。
【００３２】
二次側弾性シール１６０は、二次側筒部１２６に外嵌される本体部１６２と、この本体部１６２の外周から延びるリング状の外周リップ１６４とを有する。本体部１６２は、円筒状に形成され、二次側筒部１２６におけるテーパ部１２６ａよりも他端側（図２における下端側）に外嵌される。本体部１６２の他端（図２における下端）には、本体部１６２を二次側筒部１２６に外嵌した際に、二次側筒部１２６の他端側（図２における下端側）の開口端面が当接する凸部が、内側に向けて立設されている。また、外周リップ１６４は、本体部１６２に複数設けられ、このように外周リップ１６４を複数設けることで、より水密を保持することができる。
【００３３】
ホースバンド１８０は、環状に形成され、フランジ１２２の立壁部１２２ｂを外嵌する一次側弾性シール１４０の最外周部１４８をさらに外嵌する。ホースバンド１８０は、図示しない締め付け部を有し、締め付け部を操作することにより、最外周部１４８を外側から締め付ける。
【００３４】
次に、図４を参照して、本発明の一実施形態である配管接続装置１００の取り付けについて簡単に説明する。図４（ａ）〜（ｄ）は、本発明の一実施形態に係る配管接続装置１００の取り付け工程を示す断面図である。
【００３５】
図４（ａ）に示すように、建物躯体に設けられている排水配管の入口部８が、配管接続装置１００が取り付けられる設置面である床面２から所定長さ突出している。この排水配管の入口部８に対して、図４（ａ）及び（ｂ）に示すように、ガイド部１２８によりガイドされつつ、配管接続装置１００の二次側筒部１２６が上方から挿入される。この際、二次側弾性シール１６０の外周リップ１６４は、排水配管の入口部８の内周壁により変形し、その先端が上方向へと向く。この外周リップ１６４の変形により、排水配管の入口部８と二次側筒部１２６との間の水密が保持される。また、図４（ｂ）に示すように、ガイド部１２８は排水配管の入口部８を外嵌するとともに、ガイド部１２８の先端と床面２との間に間隙５００を形成する。
【００３６】
図４（ｂ）に示すように、二次側筒部１２６が排水配管の入口部８に挿入された状態で、フランジ１２２の固定面１２２ｃは床面２と当接する。図４（ｂ）及び（ｃ）に示すように、フランジ１２２の固定面１２２ｃに開設されたネジ穴にネジ６００が挿入され、フランジ１２２が床面２に固定される。
【００３７】
次に、図４（ｄ）に示すように、小便器１の排水路の出口部６が、一次側筒部１２４に上方から挿入される。この際、一次側弾性シール１４０の内周リップ１４４は、小便器本体４の排水路の出口部６の外周壁により変形し、一次側筒部１２４の内周壁に押し当てられる。この内周リップ１４４の変形により、小便器本体４の排水路の出口部６と一次側筒部１２４との間の水密が保持される。
【００３８】
なお、また、本実施形態において、配管接続装置１００は、小便器１の排水路の出口部６が挿入されているが、本発明における配管接続装置１００を適用する衛生設備機器は小便器に限定されるものではない。例えば、大便器や汚物流し等に配管接続装置１００を適用する構成としてもよい。また、本実施形態における配管接続装置１００を取り付ける設置面を床面２としたが、本発明における配管接続装置の設置面は、床面に限らず建物躯体に設けられた排水配管の入口部が存在する面であれば壁面等でも構わない。さらに、本発明における配管接続装置は、設置面から突出していない排水配管の入口部に対しても取り付け可能である。
【００３９】
上述した本発明の一実施形態である配管接続装置１００によれば、一次側筒部１２４に対して小便器１の排水路の出口部６を挿入し、さらに、排水配管の入口部８に対しても二次側筒部１２６を挿入することで、小便器１の排水路の出口部６と排水配管の入口部８とを連結することができる。従って、接着剤による固定の必要がなく、排水配管のメンテナンスを行う際に、容易に配管接続装置１００を取り外すことができ、メンテナンスを容易に行うことができる。また、配管接続装置１００を取り付ける際も、接着を行わずともよいため、容易に取り付けることができ、取り付けに時間を要さずともよく、施工性を向上させることができる。
【００４０】
さらに、一次側弾性シール１４０が内周リップ１４４を有するため、ある径の小便器の排水路の出口部に限らず、様々な径の出口部に対して配管接続装置１００を用いることができる。同様に、二次側弾性シール１６０が外周リップ１６４を有するため、ある径の排水配管の入口部に限らず、様々な径の入口部に対して配管接続装置を用いることができる。従って、配管接続装置１００を取り付ける際に小便器の排水路や排水配管の径を確認せずともよいため、手間がかからず配管接続装置１００の取り付けに時間を要さずともよく、施工性を向上させることができる。
【００４１】
また、上述した本発明の一実施形態である配管接続装置１００によれば、ガイド部１２８により排水配管の入口部８への二次側筒部１２６の挿入がガイドされるため、挿入作業を容易に行うことができ、配管接続装置１００の取り付けに手間がかからない。さらに、ガイド部１２８と二次側筒部１２６とは同心状に形成されるとともに、ガイド部１２８は排水配管の入口部８を外嵌するため、二次側筒部１２６の軸心と排水配管の入口部８の軸心との軸ずれが抑制される。従って、二次側弾性シール１６０が、排水配管の入口部８と二次側筒部１２６との間の水密を、より確実に保持することができる。また、軸ずれが生じた場合も、外周リップ１６４により二次側筒部１２６と排水配管の入口部８との間の水密を保持することができる。
【００４２】
さらに、上述した本発明の一実施形態である配管接続装置１００によれば、ガイド部１２８の先端と床面２との間に間隙５００が形成されるため、ガイド部１２８と床面２との接触が抑えられ、取り付ける際のガタつきが防止される。また、床面２及び床面２から突出した排水配管の入口部８の平滑さに対する要求精度が緩和されるため、さらに施工性を向上させることができる。
【００４３】
また、上述した本発明の一実施形態である配管接続装置１００によれば、一次側筒部１２４は、その軸心方向とは直交する方向へと移動可能であるため、小便器本体４の排水路の出口部６を一次側筒部１２４に挿入した際に、一次側筒部１２４を移動させることができる。また、その移動は立壁部１２２ｂ、一次側弾性シール１４０の延設部１４６及び最外周部１４８により制限されるため、二次側筒部１２６と連通した状態が保たれる。従って、一次側筒部１２４への小便器本体４の排水路の出口部６を挿入する際の位置ずれに対する要求精度が緩和されるため、施工性を向上させることができる。
【００４４】
さらに、上述した本発明の一実施形態である配管接続装置１００によれば、一次側弾性シール１４０の内周リップ１４４は、一次側筒部１２４の内側へ向けて延設しているため、小便器本体４の排水路の出口部６を一次側筒部１２４に挿入する際に、出口部６の軸心と一次側筒部１２４の軸心とが軸ずれした場合も、出口部６と一次側筒部１２４との水密は保持される。さらに、二次側筒部１２６のフランジ１２２側の端部が、内側の流路が下流側へ向けて縮径するテーパ形状であるテーパ部１２６ａであるため、出口部６の軸心と一次側筒部１２４の軸心とが軸ずれした場合も、出口部６から排水ソケット１２０内に流れ込む排水は、排水配管の入口部８内へとテーパ部１２６ａによりスムーズに排出することができる。
【符号の説明】
【００４５】
１…小便器
２…床面
４…小便器本体
６…小便器の排水路の出口部
８…排水配管の入口部
１００…配管接続装置
１２０…排水ソケット
１２２…フランジ
１２２ａ…フランジ本体
１２２ｂ…立壁部
１２２ｃ…固定面
１２４…一次側筒部
１２６…二次側筒部
１２６ａ…テーパ部
１２８…ガイド部
１４０…一次側弾性シール
１４２…外周部
１４４…内周リップ
１４６…延設部
１４８…最外周部
１６０…二次側弾性シール
１６２…本体部
１６４…外周リップ
２００…排水配管の入口部
５００…間隙
６００…ネジ
【図１】
2014129657.tif 000003
【図２】
2014129657.tif 000004
【図３】
2014129657.tif 000005
【図４】
2014129657.tif 000006